(57)【特許請求の範囲】
【請求項１】
配線板部材差込み部が設けられた絶縁ハウジングと、
該絶縁ハウジング内に配列配置され、配線板部材が上記配線板部材差込み部を通じて上記絶縁ハウジング内に差し込まれるとき、差し込まれた上記配線板部材に配列配置された複数の接続端子部に夫々対応する位置をとるものとされる複数のコンタクトと、
上記絶縁ハウジングに対して回動可能に設けられて第１の静止位置と第２の静止位置とを選択的にとり、上記複数のコンタクトに係合して、上記配線板部材が上記配線板部材差込み部を通じて上記絶縁ハウジング内に差し込まれたもとで、上記第１の静止位置から上記第２の静止位置に移行するとき、上記複数のコンタクトの夫々に上記複数の接続端子部のうちの対応するものに対する押圧接触状態をとらせ、上記第２の静止位置から上記第１の静止位置に移行するとき、上記複数のコンタクトの夫々を上記複数の接続端子部のうちの対応するものに対する押圧接触状態から解放するアクチュエータと、
を備えて成り、
上記複数のコンタクトが複数のグループに区分けされ、
上記アクチュエータが、上記複数のコンタクトの各々における作動部に夫々係合して、該作動部を上記接続端子部に対して押圧当接する状態をとらせるべく変位させる複数のカム部を備え、
該複数のカム部が、各々の端面部によって取り囲まれた断面の形状を同じとし、夫々が対向端面部間の差渡し寸法が極大となる極大寸法部をもって上記複数のコンタクトのうちの対応するものにおける作動部に作用するとき、該作動部に元の位置からの変位が最大となって上記アクチュエータに最大反力を及ぼす状態をとらせるものとされ、
上記複数のカム部のうちの上記複数のグループのうちの一つに属するコンタクトに対応する第１のカム部と上記複数のカム部のうちの上記複数のグループのうちの他の一つに属するコンタクトに対応する第２のカム部とが、夫々の上記極大寸法部の方向を異にし、上記第１のカム部が対応するコンタクトにおける作動部に上記極大寸法部をもって作用して上記アクチュエータに最大反力を及ぼす状態をとらせる時点と、上記第２のカム部が対応するコンタクトにおける作動部に上記極大寸法部をもって作用して上記アクチュエータに最大反力を及ぼす状態をとらせる時点との間に、時間差を生じさせることを特徴とするコネクタ装置。
【請求項２】
上記複数のグループが第１のグループ及び第２のグループを含むものとされ、上記第１のグループに属するコンタクトと上記第２のグループに属するコンタクトとが交互に配されることを特徴とする請求項１に記載のコネクタ装置。
【請求項３】
上記第１のグループに属するコンタクトと上記第２のグループに属するコンタクトとが、上記複数の接続端子部のうちの対応するものに対して押圧接触する位置の上記複数の接続端子部の夫々の端部からの距離を異ならせることを特徴とする請求項２記載のコネクタ装置。
【請求項４】
上記アクチュエータが、上記絶縁ハウジングにおける上記配線板部材差込み部が設けられた端部に対向する端部側に配置されたことを特徴とする請求項１から請求項３までのいずれかに記載のコネクタ装置。
【発明の詳細な説明】
【技術分野】
【０００１】
本願の特許請求の範囲に記載された発明は、フレキシブル印刷配線基板（ＦＰＣ）等の配線基板部材に設けられた接続端子部、あるいは、フレキシブルフラットケーブル（ＦＦＣ）に設けられた導体等を、他の配線基板部材等とされる他の電気部品に電気的に接続された状態とするためのコネクタ装置に関する。
【背景技術】
【０００２】
携帯電話機等の電子機器に実装される、比較的小型なフレキシブル印刷配線基板あるいはフレキシブルフラットケーブルは、各種の電気部品が取り付けられる主印刷配線基板への取付けが、当該主印刷配線基板に電気的接続がなされて固着されたコネクタ装置が用いられて行われるものとされることが多い。斯かるコネクタ装置は、フレキシブル印刷配線基板に設けられた接続端子部あるいはフレキシブルフラットケーブルに設けられた導体に接触する導電性のコンタクトを有していて、そのコンタクトを介して、フレキシブル印刷配線基板に設けられた接続端子部あるいはフレキシブルフラットケーブルに設けられた導体を主印刷配線基板に設けられた印刷配線部に電気的に接続する。
【０００３】
例えば、従来提案されているフレキシブル印刷配線基板の主印刷配線基板への取付けに用いられるコネクタ装置は、フレキシブル印刷配線基板が差し込まれる差込み部が設けられた絶縁ハウジングを有したものとされる。そして、その絶縁ハウジング内に配列配置されて設けられ、フレキシブル印刷配線基板が差込み部を通じて絶縁ハウジングに差し込まれるとき、そのフレキシブル印刷配線基板に設けられた複数の接続端子部に夫々対応するものとなる複数のコンタクトと、絶縁ハウジングに回動可能に設けられ、複数のコンタクトの夫々に係合して、回動せしめられるとき複数のコンタクトの夫々における作動部を変位させる、複数のコンタクトに共通のアクチュエータとが備えられる。
【０００４】
複数のコンタクトの各々は、導電性の弾性材料で形成され、絶縁ハウジングに固定される部分である固定部と可動部分とを有するものとされる。そして、固定部は、主印刷配線基板に設けられた印刷配線部に電気的に接続され、また、可動部分は、アクチュエータにより変位せしめられる作動部を構成する。
【０００５】
このようなコネクタ装置にあっては、絶縁ハウジングに差込み部を通じてフレキシブル印刷配線基板が差し込まれたもとで、アクチュエータが所定の方向に回動せしめられると、当該アクチュエータが、複数のコンタクトの夫々における作動部を変位させて、当該作動部にフレキシブル印刷配線基板に設けられた複数の接続端子部のうちの対応するものに対する押圧接触状態をとらせる。また、複数のコンタクトの各々における作動部がフレキシブル印刷配線基板に設けられた複数の接続端子部に夫々押圧接触する状態をとるもとで、アクチュエータが上述の所定の方向とは逆の方向に回動せしめられると、当該アクチュエータが、複数のコンタクトの夫々における作動部を変位させて、当該作動部にフレキシブル印刷配線基板に設けられた複数の接続端子部のうちの対応するものに対する押圧接触状態から解放する（例えば、特許文献１参照。）。
【０００６】
特許文献１に示されるようなコネクタ装置においては、複数のコンタクトの夫々が、全体が「Ｈ」字状の板状部材とされている。斯かる「Ｈ」字状の板状部材における、連結部によって相互連結された一対のビーム部のうちの一方が固定部とされ、他方が作動部とされる。フレキシブル印刷配線基板が差込み部を通じて絶縁ハウジングに差し込まれるときには、フレキシブル印刷配線基板における複数の接続端子部が設けられた部分が、複数のコンタクトの夫々における固定部と作動部との間に配される。そして、回動可能とされたアクチュエータが回動せしめられて、複数のコンタクトの夫々における作動部を変位させ、当該作動部にフレキシブル印刷配線基板に設けられた複数の接続端子部のうちの対応するものに対する押圧接触状態をとらせる際には、複数のコンタクトの夫々において、作動部が、固定部とでフレキシブル印刷配線基板における複数の接続端子部が設けられた部分を挟持するようにして、複数の接続端子部のうちの対応するものに対する押圧接触状態をとるものとされる。
【０００７】
また、特許文献１に示されるようなコネクタ装置と略同様な構成をとるもとで、複数のコンタクトが、フレキシブル印刷配線基板に設けられた複数の接続端子部のうちの対応するものに対して押圧接触する位置の複数の接続端子部の夫々の端部からの距離を互いに異ならせるものとなる二つのグループに区分けされ、二つのグループの一方に所属するコンタクトと二つのグループの他方に所属するコンタクトとが交互に配列配置されたものとされるコネクタ装置も提案されている（例えば、特許文献２参照。）。
【０００８】
【特許文献１】特開２００２−２７０２９０号公報（第３，４頁、図１〜図７）
【特許文献２】特開２００４−３４２４２６号公報（第４，５頁、図３〜図７図）
【発明の開示】
【発明が解決しようとする課題】
【０００９】
上述のようなフレキシブル印刷配線基板の主印刷配線基板への取付けに用いられる従来のコネクタ装置にあっては、絶縁ハウジングに差込み部を通じてフレキシブル印刷配線基板が差し込まれたもとで、回動可能とされたアクチュエータが所定の方向に回動せしめられ、当該アクチュエータが、複数のコンタクトの夫々における作動部を変位させて、当該作動部にフレキシブル印刷配線基板に設けられた複数の接続端子部のうちの対応するものに対する押圧接触状態をとらせるとき、アクチュエータは、複数のコンタクトの各々における作動部を同時に変位させて、それらに複数の接続端子部との押圧接触状態を一斉にとらせる。それにより、変位する複数のコンタクトの各々における作動部からの反力が一斉にアクチュエータに作用することになる。
【００１０】
このようにして、アクチュエータに一斉に作用する複数のコンタクトの各々における作動部からの反力は、各コンタクトの作動部の元の位置からの変位が最大とされるとき最大となり、その際の最大反力は、複数のコンタクトの夫々が弾性材料で形成されていることもあって、比較的大とされる。前述の特許文献１あるいは特許文献２に示されるコネクタ装置に見られるように、複数のコンタクトが多数とされる場合には、特に大なる最大反力がアクチュエータに作用することになる。
【００１１】
また、アクチュエータは、コネクタ装置が固着された主印刷配線基板からの起き上がり寸法をできるだけ小とすべく、複数のコンタクトの配列方向に沿った回転軸方向の幅寸法に比して、回転軸方向に直交する方向の寸法が比較的小とされることが多い。
【００１２】
その結果、従来のコネクタ装置にあっては、アクチュエータに対する回動操作が、所謂、重いものとなり、アクチュエータを回動させるに、比較的大なる力が要されることになってしまう。即ち、アクチュエータが、操作性の悪いものとなってしまうという不都合を伴うことになるのである。さらに、操作性の悪いアクチュエータを回動させるべく、それに比較的大なる力が加えられると、アクチュエータの破損がまねかれることになる虞もある。
【００１３】
斯かる点に鑑み、本願の特許請求の範囲に記載された発明は、例えば、フレキシブル印刷配線基板の主印刷配線基板への取付けに用いられる、配線板部材差込み部が設けられた絶縁ハウジングと、その絶縁ハウジング内に配列配置されて設けられる複数のコンタクトと、絶縁ハウジングに回動可能に設けられて複数のコンタクトの夫々に係合し、回動操作されるとき複数のコンタクトの夫々における作動部を変位させるアクチュエータとを備えたコネクタ装置であって、アクチュエータに対する回動操作に要される操作力の軽減が効果的に図られ、アクチュエータの操作性が改善されるとともに、アクチュエータの破損の虞が低減されることになるものを提供する。
【課題を解決するための手段】
【００１４】
本願の特許請求の範囲における請求項１から請求項４までのいずれかに記載された発明（以下、本発明という。）に係るコネクタ装置は、配線板部材差込み部が設けられた絶縁ハウジングと、絶縁ハウジング内に配列配置され、配線板部材が配線板部材差込み部を通じて絶縁ハウジング内に差し込まれるとき、差し込まれた配線板部材に配列配置された複数の接続端子部に夫々対応する位置をとるものとされる複数のコンタクトと、絶縁ハウジングに対して回動可能に設けられて第１の静止位置と第２の静止位置とを選択的にとり、複数のコンタクトに係合して、配線板部材が配線板部材差込み部を通じて絶縁ハウジング内に差し込まれたもとで、第１の静止位置から第２の静止位置に移行するとき、複数のコンタクトの夫々に複数の接続端子部のうちの対応するものに対する押圧接触状態をとらせ、第２の静止位置から第１の静止位置に移行するとき、複数のコンタクトの夫々を複数の接続端子部のうちの対応するものに対する押圧接触状態から解放するアクチュエータと、を備えて成るものとされる。そして、斯かる本発明に係るコネクタ装置は、複数のコンタクトが複数のグループに区分けされ、アクチュエータが、複数のコンタクトの各々における作動部に夫々係合して、その作動部を接続端子部に対して押圧当接する状態をとらせるべく変位させる複数のカム部を備え、複数のカム部が、各々の端面部によって取り囲まれた断面の形状を同じとし、夫々が対向端面部間の差渡し寸法が極大となる極大寸法部をもって複数のコンタクトのうちの対応するものにおける作動部に作用するとき、その作動部に元の位置からの変位が最大となってアクチュエータに最大反力を及ぼす状態をとらせるものとされ、複数のカム部のうちの複数のグループのうちの一つに属するコンタクトに対応する第１のカム部と複数のカム部のうちの複数のグループのうちの他の一つに属するコンタクトに対応する第２のカム部とが、夫々の極大寸法部の方向を異にし、第１のカム部が対応するコンタクトにおける作動部に極大寸法部をもって作用してアクチュエータに最大反力を及ぼす状態をとらせる時点と、第２のカム部が対応するコンタクトにおける作動部に極大寸法部をもって作用してアクチュエータに最大反力を及ぼす状態をとらせる時点との間に、時間差を生じさせることを特徴とする。
【００１５】
上述のように構成される本発明に係るコネクタ装置にあっては、絶縁ハウジングに配線板部材差込み部を通じて、例えば、フレキシブル印刷配線基板とされる配線板部材が差し込まれたもとで、回動可能とされたアクチュエータが第１の静止位置から第２の静止位置へと移行せしめられるべく回動操作されると、第１の静止位置から第２の静止位置へと移行するアクチュエータが、絶縁ハウジング内に配列配置された複数のコンタクトの夫々に、コンタクトに係合するカム部により当該コンタクトにおける作動部を変位させることによって、絶縁ハウジング内に差し込まれた配線板部材に配列配置された複数の接続端子部のうちの対応するものに対する押圧接触状態をとらせる。また、その後、アクチュエータが第２の静止位置から第１の静止位置へと移行せしめられるべく回動操作されると、第２の静止位置から第１の静止位置へと移行するアクチュエータが、複数のコンタクトの夫々を、コンタクトに係合するカム部により当該コンタクトにおける作動部を変位させることによって、複数の接続端子部のうちの対応するものに対する押圧接触状態から解放する。
【００１６】
その際、回動操作されて第１の静止位置から第２の静止位置へと移行するアクチュエータは、複数のコンタクトの夫々に複数の接続端子部のうちの対応するものに対する押圧接触状態をとらせるにあたり、複数のコンタクトに夫々係合する複数のカム部の作用により、複数のグループのうちの一つに属するコンタクトとの係合態様と複数のグループのうちの他の一つに属するコンタクトとの係合態様とを異ならせて、複数のグループのうちの一つに属するコンタクトと複数のグループのうちの他の一つに属するコンタクトとの間に、接続端子部に対する押圧接触状態をとるもとで各々の作動部が元の位置からの変位が最大とされてアクチュエータに最大反力を及ぼす時点についての時間差を生じさせる。即ち、複数のグループのうちの一つに属するコンタクトと複数のグループのうちの他の一つに属するコンタクトとに、各々の作動部が元の位置からの変位が最大とされてアクチュエータに最大反力を及ぼす状態を一斉にとらせるのではなく、複数のグループのうちの一つに属するコンタクトに、各々の作動部が元の位置からの変位が最大とされてアクチュエータに最大反力を及ぼす状態をとらせた後に、複数のグループのうちの他の一つに属するコンタクトに、各々の作動部が元の位置からの変位が最大とされてアクチュエータに最大反力を及ぼす状態をとらせる（もしくは、その逆）のである。
【発明の効果】
【００１７】
上述のような本発明に係るコネクタ装置において、回動操作されて第１の静止位置から第２の静止位置へと移行するアクチュエータが、絶縁ハウジング内に配列配置された複数のコンタクトの夫々に、コンタクトに係合するカム部により当該コンタクトにおける作動部を変位させることによって、絶縁ハウジング内に差し込まれた配線板部材に配列配置された複数の接続端子部のうちの対応するものに対する押圧接触状態をとらせるにあたっては、変位せしめられる作動部からの反力とされる、複数のコンタクトの夫々からの反力が、アクチュエータにその回動操作に対する抗力として作用する。従って、アクチュエータの回動操作には、アクチュエータに作用する複数のコンタクトの夫々からの最大反力に打ち勝つだけの操作力が要されることになる。
【００１８】
このようなもとで、回動操作されて第１の静止位置から第２の静止位置へと移行するアクチュエータは、複数のグループのうちの一つに属するコンタクトと複数のグループのうちの他の一つに属するコンタクトとの間に、接続端子部に対する押圧接触状態をとるもとで各々の作動部が元の位置からの変位が最大とされてアクチュエータに最大反力を及ぼす時点についての時間差を生じさせ、複数のグループのうちの一つに属するコンタクトに、各々の作動部が元の位置からの変位が最大とされてアクチュエータに最大反力を及ぼす状態をとらせた後に、複数のグループのうちの他の一つに属するコンタクトに、各々の作動部が元の位置からの変位が最大とされてアクチュエータに最大反力を及ぼす状態をとらせる動作、もしくは、その逆の動作を行う。それにより、アクチュエータにより複数のコンタクトの夫々が接続端子部のうちの対応するものに対する押圧接触状態をとるものとされる際において、アクチュエータに対する複数のコンタクトの夫々からの最大反力が一斉にアクチュエータに作用するのではなく、複数のグループのうちの一つに属するコンタクトからの最大反力と複数のグループのうちの他の一つに属するコンタクトからの最大反力とが、時間差をもってアクチュエータに作用する。それにより、先ず、複数のグループのうちの一つに属するコンタクトからの最大反力がアクチュエータに作用し、その後、複数のグループのうちの他の一つに属するコンタクトからの最大反力がアクチュエータに作用するようにされる。
【００１９】
そして、複数のグループのうちの一つに属するコンタクトからの最大反力及び複数のグループのうちの他の一つに属するコンタクトからの最大反力の夫々は、複数のコンタクトの全部からの最大反力より相当に小であるもの、例えば、複数のコンタクトの全部からの最大反力を複数のグループの数で除して得られる大きさを有するものとなる。それゆえ、アクチュエータに同時に作用するコンタクトからの最大反力は、複数のコンタクトの全部からの最大反力が一斉にアクチュエータに同時に作用するとした場合に比して、半減以下に低減されることになる。
【００２０】
このようにして、本発明に係るコネクタ装置にあっては、絶縁ハウジングに対して回動可能に設けられたアクチュエータを回動操作することにより、絶縁ハウジング内に配列配置された複数のコンタクトの夫々に、絶縁ハウジング内に差し込まれた配線板部材に配列配置された複数の接続端子部のうちの対応するものに対する押圧接触状態をとらせるにあたり、アクチュエータにその回動操作に対する抗力として作用する複数のコンタクトからの最大反力が、比較的小なるものとされる。従って、アクチュエータの回動操作には、アクチュエータに作用する複数のコンタクトからの比較的小なる最大反力に打ち勝つだけの比較的小なる操作力が要されるだけとなり、アクチュエータに無理な力がかけられる事態が回避される。
【００２１】
その結果、本発明に係るコネクタ装置によれば、アクチュエータに対する回動操作に要される操作力の軽減が効果的に図られて、アクチュエータの操作性が改善されるとともに、アクチュエータの破損の虞が低減されることになる。
【発明を実施するための形態】
【００２２】
本発明を実施するための形態は、以下に述べられる本発明についての実施例をもって説明される。
【実施例】
【００２３】
図１及び図２は、本発明に係るコネクタ装置の一例を、それに差し込まれる配線板部材とされるフレキシブル印刷配線基板の部分と共に示す。
【００２４】
図１及び図２において、本発明に係るコネクタ装置の一例を成すコネクタ装置１０は、合成樹脂等の絶縁材料によって形成された絶縁ハウジング１１を備えており、絶縁ハウジング１１には、配線板部材差込み部１２が設けられている。この絶縁ハウジング１１には、例えば、フレキシブル印刷配線基板１３の一端部が、配線板部材を成すものとして、配線板部材差込み部１２を通じて、その内部に差し込まれる。
【００２５】
配線板部材差込み部１２を通じて絶縁ハウジング１１内に差し込まれるフレキシブル印刷配線基板１３の一端部には、各々が短冊形を成すものとされた導電性材料で成る複数の接続端子部１４が、配列配置されて設けられている。複数の接続端子部１４の夫々は、図示が省略された、フレキシブル印刷配線基板１３に設けられた印刷配線部に連結されている。
【００２６】
コネクタ装置１０の絶縁ハウジング１１内には、複数のコンタクト１５及び１６が交互に配列配置されている。これらの交互に配列配置された複数のコンタクト１５及び１６は、各々が、絶縁ハウジング１１に対するフレキシブル印刷配線基板１３の一端部の差込み及び抜出し方向に沿う方向に伸びるものとされ、フレキシブル印刷配線基板１３の一端部が配線板部材差込み部１２を通じて絶縁ハウジング１１内に差し込まれるとき、差し込まれたフレキシブル印刷配線基板１３の一端部に配列配置された複数の接続端子部１４に夫々対応する位置をとるものとされる。
【００２７】
複数のコンタクト１５の夫々は、図２におけるIIIA−IIIA断面をあらわす図３のＡに示されるように、弾性を有した導電性材料で形成された、全体が「Ｈ」字状を成す板状部材とされている。斯かるコンタクト１５における、連結部１７によって相互連結された一対のビーム部１８及び１９のうち、ビーム部１８が固定部とされ、ビーム部１９が変位可能な作動部とされている。そして、固定部を成すビーム部１８は、その一端部１８ａが、コネクタ装置１０が固着された主基板２０に設けられた印刷配線部（図示が省略されている）に接続されている。ビーム部１８が、その一端部１８ａを絶縁ハウジング１１に設けられた配線板部材差込み部１２の位置に置いているのに対して、作動部を成すビーム部１９は、その配線板部材差込み部１２側の一端部１９ａを、配線板部材差込み部１２から離隔した絶縁ハウジング１１内の位置に置いている。
【００２８】
また、複数のコンタクト１６の夫々も、図２におけるIVA −IVA 断面をあらわす図４のＡに示されるように、弾性を有した導電性材料で形成された、全体が「Ｈ」字状を成す板状部材とされている。斯かるコンタクト１６における、連結部２１によって相互連結された一対のビーム部２２及び２３のうち、ビーム部２２が固定部とされ、ビーム部２３が変位可能な作動部とされる。そして、固定部を成すビーム部２２は、その一端部２２ａが、コネクタ装置１０が固着された主基板２０に設けられた印刷配線部（図示が省略されている）に接続されている。ビーム部２２は、その一端部２２ａとは反対側の他端部２２ｂを、絶縁ハウジング１１に設けられた配線板部材差込み部１２に臨む位置に置いており、また、作動部を成すビーム部２３は、その配線板部材差込み部１２側の一端部２３ａを、配線板部材差込み部１２に臨む位置に置いている。
【００２９】
このようにして、交互に配列配置された複数のコンタクト１５及び１６のうちの複数のコンタクト１５が、各々がビーム部１９の一端部１９ａを配線板部材差込み部１２から離隔した絶縁ハウジング１１内の位置に置くものとされた、第１のグループを形成しており、また、交互に配列配置された複数のコンタクト１５及び１６のうちの複数のコンタクト１６が、各々がビーム部２３の一端部２３ａを配線板部材差込み部１２に臨む位置に置くものとされた、第２のグループを形成している。従って、複数のコンタクト１５の夫々は、交互に配列配置された複数のコンタクト１５及び１６のうちの第１のグループに属するものとなり、複数のコンタクト１６の夫々は、交互に配列配置された複数のコンタクト１５及び１６のうちの第２のグループに属するものとなる。
【００３０】
そして、フレキシブル印刷配線基板１３の一端部が配線板部材差込み部１２を通じて絶縁ハウジング１１に差し込まれるときには、複数の接続端子部１４が配列配置されて設けられたフレキシブル印刷配線基板１３の一端部が、絶縁ハウジング１１内に交互に配列配置された複数のコンタクト１５及び１６の夫々におけるビーム部１８もしくは２２とビーム部１９もしくは２３との間に配される。その際、複数のコンタクト１５及び１６は、フレキシブル印刷配線基板１３の一端部に設けられた複数の接続端子部１４に夫々対応するものとなる。
【００３１】
また、絶縁ハウジング１１には、それにおける配線板部材差込み部１２が設けられた端部に対向する端部側に配置されたアクチュエータ２５が、絶縁ハウジング１１に対して回動可能に備えられている。アクチュエータ２５は、絶縁ハウジング１１における複数のコンタクト１５及び１６の配列方向に伸びる細長い形状をしており、図２及び図５に示されるように、その長手方向における両端部の夫々に回転軸部２６が設けられている。そして、回転軸部２６が絶縁ハウジング１１に設けられた軸受凹部に係合しており、それによってアクチュエータ２５が、絶縁ハウジング１１に対して回動可能とされている。
【００３２】
アクチュエータ２５は、図１，図２，図３のＡ及び図４のＡに示されるような、絶縁ハウジング１１に対して起き上がった位置（コネクタ装置１０が固着された主基板２０に対して起き上がった位置）となる第１の静止位置と、後述される図３のＣ，図４のＣ，図８〜図１０に示されるような、絶縁ハウジング１１に対して伏した位置（コネクタ装置１０が固着された主基板２０に対して伏した位置）となる第２の静止位置とを選択的にとる。そして、アクチュエータ２５に回動操作が加えられるとき、アクチュエータ２５が、第１の静止位置から第２の静止位置への移行、あるいは、第２の静止位置から第１の静止位置への移行を行うものとされる。
【００３３】
アクチュエータ２５には、図３のＡに示されるような、複数のコンタクト１５に夫々係合する複数のカム部２７が設けられている。複数のカム部２７の各々は、図３のＡ及び図６に示されるように、端面部によって取り囲まれた断面の形状が楕円形状とされており、従って、対向端面部間の差渡し寸法が極大となる極大寸法部を有していて、アクチュエータ２５の回動位置の変化に伴って極大寸法部を変位させるものとされている。そして、複数のカム部２７の夫々は、複数のコンタクト１５のうちの対応するものにおけるビーム部１８とビーム部１９とに挟まれて、それらのビーム部１８及びビーム部１９の両者に係合するものとされる。
【００３４】
さらに、アクチュエータ２５には、図４のＡに示されるような、複数のコンタクト１６に夫々係合する複数のカム部２８も設けられている。複数のカム部２８の各々も、図４のＡ及び図７に示されるように、端面部によって取り囲まれた断面の形状が楕円形状とされており、従って、対向端面部間の差渡し寸法が極大となる極大寸法部を有していて、アクチュエータ２５の回動位置の変化に伴って極大寸法部を変位させるものとされている。そして、複数のカム部２８の夫々は、複数のコンタクト１６のうちの対応するものにおけるビーム部２２とビーム部２３とに挟まれて、それらのビーム部２２及びビーム部２３の両者に係合するものとされる。
【００３５】
複数のコンタクト１５及び複数のコンタクト１６が交互に配列配置されていることにより、複数のカム部２７及び複数のカム部２８は、アクチュエータ２５にその長手方向に沿って交互に配列配置されて設けられていることになる。そして、複数のカム部２７の夫々と複数のカム部２８の夫々とは、各々の極大寸法部の方向を異にしている。例えば、アクチュエータ２５が第１の静止位置をとるもとで、カム部２７は、図３のＡに示されるように、極大寸法部の方向が主基板２０の基板平面に平行な方向に対して傾斜する方向とされ、一方、カム部２８は、図４のＡに示されるように、極大寸法部の方向が主基板２０の基板平面に平行な方向対して略平行な方向とされる。
【００３６】
即ち、例えば、図６に示されるように、アクチュエータ２５が第１の静止位置をとるもとで、カム部２７は、その極大寸法部の方向Ｘａが主基板２０の基板平面に平行な方向Ｈに対して角度αを成すものとされる。それに対して、例えば、図７に示されるように、アクチュエータ２５が第１の静止位置をとるもとで、カム部２８は、その極大寸法部の方向Ｘｂが主基板２０の基板平面に平行な方向Ｈに対して略平行になるものとされる。従って、カム部２７の極大寸法部の方向Ｘａとカム部２８の極大寸法部の方向Ｘｂとの間には、角度αだけの角度差があることになる。
【００３７】
このようなもとで、図８及び図９に示されるように、フレキシブル印刷配線基板１３の一端部が絶縁ハウジング１１内に配線板部材差込み部１２を通じて差し込まれたもとで、アクチュエータ２５が、それに対する回動操作により回動せしめられて、第１の静止位置から第２の静止位置に移行すると、複数のコンタクト１５及び複数のコンタクト１６が、絶縁ハウジング１１内に差し込まれたフレキシブル印刷配線基板１３の一端部に設けられた複数の接続端子部１４に夫々押圧接触するものとされる。
【００３８】
斯かる際においては、先ず、アクチュエータ２５が第１の静止位置をとるもとにおいて、フレキシブル印刷配線基板１３の一端部が絶縁ハウジング１１内に配線板部材差込み部１２を通じて差し込まれる。絶縁ハウジング１１内に差し込まれたフレキシブル印刷配線基板１３の一端部は、絶縁ハウジング１１内に交互に配列配置された複数のコンタクト１５及び複数のコンタクト１６に対して、複数のコンタクト１５の夫々のビーム部１８とビーム部１９とに挟まれるとともに、複数のコンタクト１６の夫々のビーム部２２とビーム部２３とに挟まれる位置におかれる。
【００３９】
続いて、第１の静止位置をとるアクチュエータ２５が、回動操作により、第１の静止位置から第２の静止位置に移行すべく回動せしめられる。斯かるアクチュエータ２５の第１の静止位置から第２の静止位置に移行する回動に伴って、アクチュエータ２５に交互に設けられた複数のカム部２７及び複数のカム部２８の夫々が、その極大寸法部を変位させるものとされる。
【００４０】
このとき、複数のカム部２７の夫々は、図３のＢに示されるように、アクチュエータ２５の回動に伴って極大寸法部の方向を変化させつつ、複数のコンタクト１５のうちの対応するもののビーム部１８及びビーム部１９に係合し、ビーム部１９を変位させる。そして、ビーム部１９に極大寸法部をもって作用する時点及びその前後の期間において、そのビーム部１９に、フレキシブル印刷配線基板１３の一端部に設けられた複数の接続端子部１４のうちの対応するものに対する押圧接触状態をとらせる。斯かるビーム部１９の対応する接続端子部１４に対する押圧接触状態は、ビーム部１９の一端部１９ａが接続端子部１４に当接せしめられ、接続端子部１４が設けられたフレキシブル印刷配線基板１３の一端部が、ビーム部１９の一端部１９ａとビーム部１８とにより挟持されることによりとられる。
【００４１】
そして、回動操作されたアクチュエータ２５が第２の静止位置をとるものとされると、後述される図１０におけるIIIC−IIIC断面をあらわす図３のＣに示されるように、カム部２７が、ビーム部１９の一端部１９ａに、接続端子部１４に当接して、その接続端子部１４が設けられたフレキシブル印刷配線基板１３の一端部をビーム部１８とによって挟持する状態を維持させる。それにより、ビーム部１９がフレキシブル印刷配線基板１３の一端部に設けられた複数の接続端子部１４のうちの対応するものに対する押圧接触状態を維持するものとされる。
【００４２】
斯かる際、複数のカム部２７の夫々は、複数のコンタクト１５のうちの対応するもののビーム部１９に極大寸法部をもって作用するとき、当該ビーム部１９の元の位置からの変位を最大とし、それにより、当該ビーム部１９から最大反力を受ける状態におかれる。従って、複数のカム部２７の夫々が複数のコンタクト１５のうちの対応するもののビーム部１９に極大寸法部をもって作用する時点が、複数のコンタクト１５の夫々がビーム部１９の元の位置からの変位が最大とされてアクチュエータ２５に最大反力を及ぼす時点となる。
【００４３】
また、複数のカム部２８の夫々は、図４のＢに示されるように、アクチュエータ２５の回動に伴って極大寸法部の方向を変化させつつ、複数のコンタクト１６のうちの対応するもののビーム部２２及びビーム部２３に係合し、ビーム部２３を変位させる。そして、後述される図１０におけるIVC −IVC 断面をあらわす図４のＣに示されるように、カム部２８がビーム部２３に極大寸法部をもって作用するとき、そのビーム部２３に、フレキシブル印刷配線基板１３の一端部に設けられた複数の接続端子部１４のうちの対応するものに対する押圧接触状態をとらせる。斯かるビーム部２３の対応する接続端子部１４に対する押圧接触状態は、ビーム部２３の一端部２３ａが接続端子部１４に当接せしめられ、接続端子部１４が設けられたフレキシブル印刷配線基板１３の一端部が、ビーム部２３の一端部２３ａとビーム部２２とにより挟持されることによりとられる。
【００４４】
このとき、複数のカム部２８の夫々は、複数のコンタクト１６のうちの対応するもののビーム部２３に極大寸法部をもって作用するとき、当該ビーム部２３の元の位置からの変位を最大とし、それにより、当該ビーム部２３から最大反力を受ける状態におかれる。従って、複数のカム部２８の夫々が複数のコンタクト１６のうちの対応するもののビーム部２３に極大寸法部をもって作用する時点が、複数のコンタクト１６の夫々がビーム部２３の元の位置からの変位が最大とされてアクチュエータ２５に最大反力を及ぼす時点となる。
【００４５】
カム部２８は、その極大寸法部の方向をカム部２７の極大寸法部の方向とは異にするものとされている。それゆえ、アクチュエータ２５の第１の静止位置から第２の静止位置へと向かう回動に伴って、カム部２８がコンタクト１６のビーム部２３に極大寸法部をもって作用する時点は、アクチュエータ２５の第１の静止位置から第２の静止位置へと向かう回動に伴って、カム部２７がコンタクト１５のビーム部１９に極大寸法部をもって作用する時点とは異なり、両者間に時間差が生じる。例えば、アクチュエータ２５の第１の静止位置から第２の静止位置に移行する回動に伴い、先ず、カム部２７がコンタクト１５のビーム部１９に極大寸法部をもって作用する状態をとり、その後、カム部２８がコンタクト１６のビーム部２３に極大寸法部をもって作用する状態をとる。
【００４６】
従って、カム部２７がコンタクト１５のビーム部１９に極大寸法部をもって作用する時点とされる、複数のコンタクト１５の夫々がアクチュエータ２５に最大反力を及ぼす時点と、カム部２８がコンタクト１６のビーム部２３に極大寸法部をもって作用する時点とされる、複数のコンタクト１６の夫々がアクチュエータ２５に最大反力を及ぼす時点との間には、時間差が生じることになる。例えば、複数のコンタクト１５の夫々がアクチュエータ２５に最大反力を及ぼす時点が先に到来し、その後、複数のコンタクト１６の夫々がアクチュエータ２５に最大反力を及ぼす時点が到来するのである。
【００４７】
このようにして、第１の静止位置から第２の静止位置に移行する回動を行うアクチュエータ２５は、それに設けられた複数のカム部２７及び複数のカム部２８によって、複数のコンタクト１５及び複数のコンタクト１６の夫々に、フレキシブル印刷配線基板１３の一端部に設けられた複数の接続端子部１４のうちの対応するものに対する押圧接触状態をとらせるが、その際、回動に伴って、複数のカム部２７の第１のグループを成す複数のコンタクト１５との係合態様と、複数のカム部２８と第２のグループを成す複数のコンタクト１６との係合態様とを異ならせ、第１のグループを成す複数のコンタクト１５と第２のグループを成す複数のコンタクト１６との間に、フレキシブル印刷配線基板１３の一端部に設けられた複数の接続端子部１４のうちの対応するものに対する押圧接触状態をとるもとでアクチュエータ２５に最大反力を及ぼす時点についての時間差を生じさせることになる。
【００４８】
図４のＣに示されるように、回動操作されたアクチュエータ２５が第２の静止位置をとるものとされると、カム部２８がビーム部２３に極大寸法部をもって作用する状態を維持する。それにより、ビーム部２３の一端部２３ａが、接続端子部１４に当接して、その接続端子部１４が設けられたフレキシブル印刷配線基板１３の一端部をビーム部２２とによって挟持する状態におかれ、ビーム部２３がフレキシブル印刷配線基板１３の一端部に設けられた複数の接続端子部１４のうちの対応するものに対する押圧接触状態を維持するものとされる。
【００４９】
このように複数のコンタクト１５の夫々のビーム部１８及びビーム部１９に係合するカム部２７と複数のコンタクト１６の夫々のビーム部２２及びビーム部２３に係合するカム部２８とが設けられたアクチュエータ２５は、複数のコンタクト１５及び複数のコンタクト１６がカム部２７及びカム部２８に及ぼす作用により、図３のＡ及び図４のＡに示されるように第１の静止位置にあるときには、図３のＡ及び図４のＡにおいて反時計回りとなる方向のモーメントが作用する状態におかれ、また、図３のＣ及び図４のＣに示されるように第２の静止位置にあるときには、図３のＣ及び図４のＣにおいて時計回りとなる方向のモーメントが作用する状態におかれる。従って、第１の静止位置におかれたアクチュエータ２５には、その第１の静止位置を維持させる力が働き、また、第２の静止位置におかれたアクチュエータ２５には、その第２の静止位置を維持させる力が働いていることになる。
【００５０】
上述のようにして、フレキシブル印刷配線基板１３の一端部が絶縁ハウジング１１内に配線板部材差込み部１２を通じて差し込まれたもとで、アクチュエータ２５が第２の静止位置をとるものとされたときには、図１０に示されるように、絶縁ハウジング１１内に交互に配列配置されて設けられた複数のコンタクト１５及び複数のコンタクト１６の夫々が、フレキシブル印刷配線基板１３の一端部に配列配置されて設けられた複数の接続端子部１４のうちの対応するものに対する押圧接触状態をとるものとされる。複数のコンタクト１５の夫々と複数のコンタクト１６の夫々とは、複数の接続端子部１４のうちの対応するものに対して押圧接触する位置の複数の接続端子部１４の夫々の端部からの距離を異ならせることになる。図１０にあっては、複数のコンタクト１５の夫々が対応する接続端子部１４に対して押圧接触する位置の複数の接続端子部１４の夫々の端部からの距離が、複数のコンタクト１６の夫々が対応する接続端子部１４に対して押圧接触する位置の複数の接続端子部１４の夫々の端部からの距離より短いものとされている。
【００５１】
図１０に示されるように、フレキシブル印刷配線基板１３の一端部が絶縁ハウジング１１内に配線板部材差込み部１２を通じて差し込まれたもとで第２の静止位置をとるものとされたアクチュエータ２５は、必要に応じて、回動操作により第２の静止位置から第１の静止位置に移行すべく回動せしめられる。斯かる際の回動操作は、勿論、第１の静止位置から第２の静止位置に移行すべく回動せしめられるときの回動操作とは逆方向のものとされる。
【００５２】
第２の静止位置から第１の静止位置に移行する回動を行うアクチュエータ２５は、絶縁ハウジング１１内に交互に配列配置されて設けられた複数のコンタクト１５及び複数のコンタクト１６の夫々を、フレキシブル印刷配線基板１３の一端部に配列配置されて設けられた複数の接続端子部１４のうちの対応するものに対する押圧接触状態から解放する。斯かる解放は、アクチュエータ２５の第２の静止位置から第１の静止位置に移行する回動に伴って、複数のコンタクト１５の夫々に係合して、コンタクト１５に接続端子部１４に対する押圧接触状態をとらせている、アクチュエータ２５に設けられた複数のカム部２７の夫々が、コンタクト１５のビーム部１９を変位させて、その一端部１９ａの接続端子部１４に対する当接状態を解除すること、及び、複数のコンタクト１６の夫々に係合して、コンタクト１６に接続端子部１４に対する押圧接触状態をとらせている、アクチュエータ２５に設けられた複数のカム部２８の夫々が、コンタクト１６のビーム部２３を変位させて、その一端部２３ａの接続端子部１４に対する当接状態を解除することにより行われる。
【００５３】
その際、カム部２７とカム部２８とは、各々の極大寸法部の方向を異にするものとされているので、アクチュエータ２５の第２の静止位置から第１の静止位置に移行する回動に伴う、複数のコンタクト１５の夫々の対応する接続端子部１４に対する押圧接触状態からの解放と複数のコンタクト１６の夫々の対応する接続端子部１４に対する押圧接触状態からの解放とは、時間差をもって行われる。例えば、アクチュエータ２５の第２の静止位置から第１の静止位置に移行する回動に伴って、先ず、複数のコンタクト１６の夫々が対応する接続端子部１４に対する押圧接触状態から解放され、その後、複数のコンタクト１５の夫々が対応する接続端子部１４に対する押圧接触状態から解放される。
【００５４】
上述のような、本発明に係るコネクタ装置の一例においては、回動操作されて第１の静止位置から第２の静止位置へと移行するアクチュエータ２５が、複数のコンタクト１５と複数のコンタクト１６との間に、フレキシブル印刷配線基板１３の一端部に設けられた複数の接続端子部１４のうちの対応するものに対する押圧接触状態をとるもとで、ビーム部１９及び２３の夫々が元の位置からの変位が最大とされてアクチュエータ２５に最大反力を及ぼす時点についての時間差を生じさせ、例えば、先ず、複数のコンタクト１５の夫々がアクチュエータ２５に最大反力を及ぼす時点が到来し、その後、複数のコンタクト１６の夫々がアクチュエータ２５に最大反力を及ぼす時点が到来するようになす。即ち、アクチュエータ２５に対する複数のコンタクト１５及び複数のコンタクト１６からの最大反力が、一斉にアクチュエータ２５に作用するのではなく、複数のコンタクト１５からの最大反力と複数のコンタクト１６からの最大反力とが、時間差をもってアクチュエータ２５に作用するものとされるのである。
【００５５】
そして、複数のコンタクト１５からの最大反力及び複数のコンタクト１６からの最大反力の夫々は、複数のコンタクト１５及び複数のコンタクト１６の全部からの最大反力の略１／２となる。それゆえ、アクチュエータ２５に同時に作用する複数のコンタクト１５からの最大反力あるいは複数のコンタクト１６からの最大反力は、複数のコンタクト１５及び複数のコンタクト１６の全部からの最大反力が一斉にアクチュエータ２５に同時に作用するとした場合に比して、略半減されることになる。
【００５６】
それにより、上述の本発明に係るコネクタ装置の一例にあっては、絶縁ハウジング１１に回動可能に設けられたアクチュエータ２５を回動操作することにより、絶縁ハウジング１１内に交互に配列配置された複数のコンタクト１５及び複数のコンタクト１６に、絶縁ハウジング１１内に差し込まれたフレキシブル印刷配線基板１３の一端部に配列配置された複数の接続端子部１４のうちの対応するものに対する押圧接触状態をとらせるにあたり、アクチュエータ２５にその回動操作に対する抗力として作用する複数のコンタクト１５あるいは複数のコンタクト１６からの最大反力が、比較的小なるものとされる。従って、アクチュエータ２５の回動操作には、アクチュエータ２５に作用する複数のコンタクト１５あるいは複数のコンタクト１６からの比較的小なる最大反力に打ち勝つだけの比較的小なる操作力が要されるだけとなり、アクチュエータ２５に無理な力がかけられる事態が回避される。その結果、アクチュエータ２５に対する回動操作に要される操作力の軽減が効果的に図られて、アクチュエータ２５の操作性が改善されるとともに、アクチュエータ２５の破損の虞が低減されることになる。
【００５７】
なお、上述の本発明に係るコネクタ装置の一例においては、フレキシブル印刷配線基板１３の一端部が絶縁ハウジング１１内に配線板部材差込み部１２を通じて差し込まれたもとで、アクチュエータ２５が、第１の静止位置から第２の静止位置に移行する回動を行うとき、先ず、複数のコンタクト１５に複数の接続端子部１４のうちの対応するものに対する押圧接触状態をとらせ、その後、複数のコンタクト１６に複数の接続端子部１４のうちの対応するものに対する押圧接触状態をとらせるものとされているが、これとは逆に、アクチュエータ２５が、先ず、複数のコンタクト１６に複数の接続端子部１４のうちの対応するものに対する押圧接触状態をとらせ、その後、複数のコンタクト１５に複数の接続端子部１４のうちの対応するものに対する押圧接触状態をとらせるものとされてもよい。
【００５８】
また、上述の本発明に係るコネクタ装置の一例においては、絶縁ハウジング１１内において複数のコンタクト１５と複数のコンタクト１６とが交互に配列配置されているが、複数のコンタクト１５及び複数のコンタクト１６は、交互に配されなくてはならないというものではない。
【００５９】
さらに、上述の本発明に係るコネクタ装置の一例においては、複数のコンタクト１５の夫々と複数のコンタクト１６の夫々とが、寸法及び形状を互いに異にするものとされているが、本発明に係るコネクタ装置は、複数のコンタクト１５及び複数のコンタクト１６に相当する複数のコンタクトの全てを略同じ寸法及び形状を有するものとして、構成され得るものである。
【００６０】
以上のように説明された本発明に係るコネクタ装置の一例を成すコネクタ装置１０にあっては、絶縁ハウジング１１内に設けられる複数のコンタクト１５及び１６が、第１のグループと第２のグループとの二つのグループに区分けされたものとされているが、これはあくまで一例であり、本発明に係るコネクタ装置にあっては、絶縁ハウジング内に設けられる複数のコンタクトが、三つ以上とされるＮ個（Ｎ≧３）のグループに区分けされたものとされてもよいことは勿論である。絶縁ハウジング内に設けられる複数のコンタクトがＮ個のグループに区分けされる場合には、絶縁ハウジングに回動可能に設けられるアクチュエータが、複数のコンタクトの夫々に絶縁ハウジング内に差し込まれた配線板部材に設けられた複数の接続端子部のうちの対応するものに対する押圧接触状態をとらせるに際して、Ｎ個のグループのうちの一つに属するコンタクトとの係合態様とＮ個のグループのうちの他の一つに属するコンタクトとの係合態様とを異ならせて、Ｎ個のグループのうちの一つに属するコンタクトとＮ個のグループのうちの他の一つに属するコンタクトとの間に、接続端子部に対する押圧接触状態をとるもとでアクチュエータに最大反力を及ぼす時点についての時間差を生じさせることになる。
【産業上の利用可能性】
【００６１】
以上のような本発明に係るコネクタ装置は、例えば、フレキシブル印刷配線基板の主基板への取付けに用いられる、複数のコンタクトとそれらに係合し、回動操作されるとき複数のコンタクトの夫々における作動部を変位させるアクチュエータとを備えたコネクタ装置であって、アクチュエータの操作性が改善されるとともに、アクチュエータの破損の虞が低減されることになるものとして、様々な電子機器等に広く適用され得るものである。
【図面の簡単な説明】
【００６２】
【図１】本発明に係るコネクタ装置の一例を、それに差し込まれるフレキシブル印刷配線基板の一部と共に示す斜視図である。
【図２】本発明に係るコネクタ装置の一例を、それに差し込まれるフレキシブル印刷配線基板の一部と共に示す平面図である。
【図３】図１及び図２に示される例の構成及び動作の説明に供される断面図である。
【図４】図１及び図２に示される例の構成及び動作の説明に供される断面図である。
【図５】図１及び図２に示される例におけるアクチュエータの構成の説明に供される断面図である。
【図６】図１及び図２に示される例におけるアクチュエータの構成の説明に供される断面図である。
【図７】図１及び図２に示される例におけるアクチュエータの構成の説明に供される断面図である。
【図８】図１及び図２に示される本発明に係るコネクタ装置の一例に図１及び図２に示されるフレキシブル印刷配線基板が差し込まれ、アクチュエータが回動操作された状態を示す斜視図である。
【図９】図１及び図２に示される本発明に係るコネクタ装置の一例に図１及び図２に示されるフレキシブル印刷配線基板が差し込まれ、アクチュエータが回動操作された状態を示す平面図である。
【図１０】図１及び図２に示される本発明に係るコネクタ装置の一例に図１及び図２に示されるフレキシブル印刷配線基板が差し込まれ、アクチュエータが回動操作された状態を示す断面図である。
【符号の説明】
【００６３】
１０，３０・・・コネクタ装置，  １１・・・絶縁ハウジング，  １２・・・配線板部材差込み部，  １３・・・フレキシブル印刷配線基板，  １４・・・接続端子部，  １５，１６・・・コンタクト，  １７，２１・・・連結部，  １８，１９，２２，２３，・・・ビーム部，  ２０・・・主基板，  ２５・・・アクチュエータ，  ２６・・・回転軸部，  ２７，２８・・・カム部
【図１】
0004672485.tif 000002
【図２】
0004672485.tif 000003
【図３】
0004672485.tif 000004
【図４】
0004672485.tif 000005
【図５】
0004672485.tif 000006
【図６】
0004672485.tif 000007
【図７】
0004672485.tif 000008
【図８】
0004672485.tif 000009
【図９】
0004672485.tif 000010
【図１０】
0004672485.tif 000011